(57)【要約】【課題】  側方に光を出力可能であってその出力する光の指向性がより向上した光照射ファイバを提供する。【解決手段】  光照射ファイバ１は、一方向に延在しており、入射端１０ｂから入射された光を伝搬させて出射端１０ａから出射する光ファイバ１０と、光ファイバ１０の出射端１０ａ側に取り付けられており光ファイバ１０の延在方向に延びていると共に、光ファイバ１０の出射端１０ａ側から出力される光を散乱し側面から出射する光照射部２０と、光照射部２０が内側に挿入されており、光照射部２０から出射される光Ｌに対して遮光性を有する管状部材（パイプ７０）と、を備え、管状部材（パイプ７０）は、光照射部２０から出射される光Ｌを通す出力部７０Ｂを有し、管状部材（パイプ７０）の内径の外径に対する比が０．６５以下である。【選択図】  図２
2008220435.tif 000002
【特許請求の範囲】
【請求項１】
一方向に延在しており、入射端から入射された光を伝搬させて出射端から出射する光ファイバ部と、
前記光ファイバ部の出射端側に取り付けられており前記光ファイバ部の延在方向に延びていると共に、前記光ファイバ部の出射端側から出力される光を散乱し側面から出射する光照射部と、
前記光照射部が内側に挿入されており、前記光照射部から出射される光に対して遮光性を有する管状部材と、
を備え、
前記管状部材は、前記光照射部から出射される光を通す出力部を有し、前記管状部材の内径の外径に対する比が０．６５以下であること、
を特徴とする光照射ファイバ。
【請求項２】
前記出力部は、管壁に形成された開口またはスリットであることを特徴とする請求項１に記載の光照射ファイバ。
【請求項３】
前記管状部材は金属から形成されていることを特徴とする請求項１または２に記載の光照射ファイバ。
【請求項４】
前記光照射部は散乱体が分散して形成された光散乱部を有しており、前記散乱体の濃度分布は、前記光ファイバ側から前記光照射部の先端側に向けて高くなるように変化していることを特徴とする請求項１〜３の何れか一項に記載の光照射ファイバ。
【発明の詳細な説明】
【技術分野】
【０００１】
本発明は、医療分野で利用される光照射ファイバに関するものである。
【背景技術】
【０００２】
医療分野において、患部に光を照射して治療する治療方法（光線治療）が知られている。このような治療法には、例えば、特許文献１に記載の医療用ファイバプローブ（光照射ファイバ）が利用される。この医療用ファイバプローブは次のように構成される。
【０００３】
すなわち、光ファイバの出射端側に、出射端から出力される光を散乱させ側方へ出力する拡散チップ（光照射部）が取り付けられており、拡散チップは、拡散チップから側方に出力される光を更に散乱させる保護チューブにより被覆されている。この構成では、光ファイバの出射端から出射された光は拡散チップにより散乱され、側方に出力された後、更に保護拡散チューブにより散乱されて患部に出力されることになる。
【０００４】
ところで、医療用ファイバプローブから出力される光の強度によっては、患部以外に光が照射されると、その部分を傷つけてしまうおそれがある。そこで、特許文献１に記載の医療用ファイバプローブでは、拡散チップと保護拡散チューブとの間に、周方向において開口部を有する反射板で覆い、開口部から光を出力させ、反射板を設けない場合に比べて指向性を持たせることを図っている。
【特許文献１】特許第３５５１９９６号公報
【発明の開示】
【発明が解決しようとする課題】
【０００５】
しかしながら、拡散チップから出力された光を保護拡散チューブで更に拡散させるため、特許文献１に記載のように、拡散チップと保護拡散チューブとの間に反射板が設けられている場合、反射板を通過することにより全方位に比べて指向性を有するようになった光が更に保護拡散チューブで拡散されて出力されることになり、結果として、指向性が低下していた。このような指向性の低下は、上記のように保護拡散チューブを使用していることによるが、光照射部において全方向に光を出力可能な光照射ファイバにおいては、指向性を持たせるためには、光照射部の側周面を、一部に開口部を有するように金属箔などで覆うことが考えられる。しかしながら、この場合、周方向において強度分布の広がりが生じ、その結果として指向性が低下していた。なお、特許文献１には、保護拡散チューブの外周面の一部において開口部を有するように反射板が覆う技術が開示されているが、反射板を湾曲させなければならないため、箔と同程度の薄さが必要となり、結果として指向性が低下する。
【０００６】
そこで本発明は、このような技術課題を解決するためになされたものであって、側方に光を出力可能であってその出力する光の指向性がより向上した光照射ファイバを提供することを目的とする。
【課題を解決するための手段】
【０００７】
すなわち本発明に係る光照射ファイバは、一方向に延在しており、入射端から入射された光を伝搬させて出射端から出射する光ファイバ部と、光ファイバ部の出射端側に取り付けられており光ファイバ部の延在方向に延びていると共に、光ファイバ部の出射端側から出力される光を散乱し側面から出射する光照射部と、光照射部が内側に挿入されており、光照射部から出射される光に対して遮光性を有する管状部材と、を備え、管状部材は、光照射部から出射される光を通す出力部を有し、管状部材の内径の外径に対する比が０．６５以下であることを特徴とする。
【０００８】
この発明によれば、光ファイバ部の出射端側に取り付けられた光照射部が、管状部材に挿入されている構成となっている。そして、管状部材は、光に対して遮光性を有する一方、その光を通す出力部を有しているため、光照射部から出射された光は出力部から選択的に出力されることになる。その結果、光照射ファイバから出力される光は指向性を有し、限定した方向および限定した範囲への照射が可能となっている。
【０００９】
また、光照射部から照射された光を遮蔽する遮蔽部材として用いられる管状部材は、管状部材の内径の外径に対する比が０．６５以下となる厚さを有する管壁を備えていることにより、光照射部内で種々の方向に散乱され出力される光の方向が出力部内を通る間に一定の方向に揃いやすい。そのため、光照射ファイバから出力される光の指向性がより一層向上し、結果として、例えば、患部により高強度の光を照射可能である。
【００１０】
また、本発明に係る光照射ファイバにおいて、出力部は管壁に形成された開口またはスリットであることが好適である。このように管壁に開口またはスリットを形成して出力部とすることで、例えば金属箔や金属板等を折り曲げて出力部を形成する場合に比べて、製造性に優れている。
【００１１】
さらに、本発明に係る光照射ファイバにおいて、管状部材は金属から形成されていることが好適である。
【００１２】
このように、管状部材を反射率の高い金属で形成することにより、遮光性を有すると共に照射方向に散乱しなかった光を反射して出力部から出力することができるため、より高出力の照射が可能となる。
【００１３】
また、本発明に係る光照射ファイバにおいて、光照射部は散乱体が分散して形成されており、散乱体の濃度分布は、光ファイバ部側から光照射部の先端側に向けて高くなるように変化していることが好ましい。
【００１４】
この構成では、光照射部内の散乱体は、その濃度分布が光照射部の先端に向けて高くなるように変化していることから、光の散乱効率が光照射部の先端側で大きくなる。この場合、光ファイバ部から出射され光照射部内をその先端に向けて伝搬する光の強度が光照射部内を伝搬中に減衰しても、先端側でより多く散乱されることになるため、光照射部の長手方向に沿って略均一な強度で光を出射できる。そのため、例えば患部の治療に光照射ファイバを利用した場合、一定の大きさを有する患部に略均一な強度の光を照射可能であり、温熱治療を効率的に実施することができる。
【発明の効果】
【００１５】
本発明の光照射ファイバによれば、側方に光を出力可能であってその出力する光の指向性をより向上することができる。これにより、出力される光の強度を向上できるため、例えば、医療分野において使用する場合、治療効果をより高めることができる。
【発明を実施するための最良の形態】
【００１６】
以下、添付図面を参照して本発明の実施形態について説明する。なお、図面の説明において同一の要素には同一の符号を付し、重複する説明を省略する。また、図中の寸法比率は必ずしも説明中のものとは一致していない。
【００１７】
図１は、本実施形態に係る光照射ファイバ１の斜視図である。図２は、本実施形態に係る光照射ファイバ１の側断面図である。図３は、図２のIII-III線に沿った断面図である。なお、図１では後述する患部Ｓを模式的に示している。
【００１８】
本実施形態に係る光照射ファイバ１は、医療分野において主に利用され、特に、高強度の光Ｌを患部Ｓに照射して患部Ｓ内の細胞を壊死させて治療する温熱治療に好適に利用されるものである。
【００１９】
図１および図２に示すように、光照射ファイバ１は光ファイバ部としての光ファイバ１０を有する。光ファイバ１０は、コア部１０Ａの外周にクラッド部１０Ｂが設けられ、クラッド部１０Ｂの外周にジャケットである被覆層１０Ｃが設けられて構成されている。光ファイバ１０の直径は、例えば約８００μｍである。医療分野で光照射ファイバ１を利用する場合は、折れにくく生体負荷の小さいプラスチック材料を利用したＰＯＦ（Plastic  Optical  Fiber）やＰＣＦ（Plastic  Clad  Silica  Fiber）が好ましいが、光Lを伝播できれば特に限定されない。例えば、ＳＦ（Silica  Fiber）を採用してもよく、また、被覆層１０Ｃは設けなくてもよい。また、温熱治療などのように高出力の光Lを伝搬させる場合、光ファイバ１０の発熱を抑制する観点から使用する光Lの波長に応じて選択することも好適である。光の波長領域に対するPOF、PCF、SFの発熱の大きさの関係を表１に示す。波長は、赤外線：２．５μｍ〜１ｍｍ、近赤外：０．７〜２．５μｍ、赤：６２５〜７４０ｎｍ、緑：５００〜５６５ｎｍ、青：４３５〜４８５ｎｍ、紫外：２００〜４００ｎｍ、真空紫外：１０〜２００ｎｍとした。
【表１】
2008220435.tif 000003
【００２０】
表１において、○の表示は、表１に示されている波長領域の光を伝搬させた際に、例えば発熱が４０℃以下に抑えられていることを示しており、△の表示は、発熱が１００℃以下に抑えられることを示しており、×の表示は、発熱が１００℃より大きくなる恐れがあるものを示している。なお、○、△、×は、例えば、光の強度を１Ｗとし、光ファイバへの光の供給時間を３分とした場合を示している。よって、発熱を抑制する観点から、各波長領域の光に対して表１の○で示した光ファイバを使用することが好ましい。
【００２１】
光ファイバ１０の出射端１０ａ側には、ファイバ軸Ｆ方向（長手方向）に延びた光照射チップとしての光照射部２０が取り付けられている。光照射ファイバ１が有する光照射部２０は、光ファイバ１０の入射端１０ｂから入射され出射端１０ａから出射される光Ｌを散乱させて光照射ファイバ１の側方に出力するためのものである。光照射部２０は、光ファイバ１０のファイバ軸Ｆ方向に延在したチューブ２１内に、ゲル状の光散乱部２２が保持されて構成されている。
【００２２】
チューブ２１は、熱可塑性フッ素樹脂（例えばＰＦＡ）からなり、出射端１０ａから出力される光Ｌに対して透過性を有する。また、チューブ２１は、光ファイバ１０の直径とほぼ同じ又は光ファイバ１０の直径より大きい内径を有する。チューブ２１は、チューブ２１の一端２１ａ側から光ファイバ１０が挿入されることで光ファイバ１０に取り付けられており、チューブ２１の一端２１ａと反対側には、光散乱部２２が設けられている。
【００２３】
光散乱部２２は、光Ｌを散乱させるための散乱体２２Ａが媒質２２Ｂ中に分散されて構成されており、ファイバ軸Ｆ方向に延びている。例えば、散乱体２２Ａとして、シリカ粒子が用いられ、媒質２２Ｂとしてシリコーンゲルが用いられる。光散乱部２２は、散乱体２２Ａの濃度が異なる３つの光散乱層２２１，２２２，２２３からなる３層構造を有しており、光散乱層２２１〜２２３は、光ファイバ１０側から光散乱層２２１，２２２，２２３の順にファイバ軸Ｆ方向に沿って配置されている。
【００２４】
各光散乱層２２１〜２２３の散乱体２２Ａの濃度は異なっており、光ファイバ１０側から順に段階的に高くなるように階段状の濃度分布が形成されている。そして、各光散乱層２２１，２２２，２２３の散乱体２２Ａの濃度は、光照射部２０から出力されて患部Ｓに照射される光（以下、「照射光」とも称す）Ｌの強度が長手方向に沿って一定になるように調整されている。より具体的には、光ファイバ１０の出射端１０ａから出力され光散乱部２２内を先端２２ａに向けて伝搬する光Ｌの強度の減衰を、散乱効率で補うように光散乱部２２における散乱効率が長手方向に沿って大きくなるように調整されている。
【００２５】
光散乱部２２は、光ファイバ１０が挿入されたチューブ２１内に散乱体２２Ａが分散されている媒質２２Ｂを注射器で充填して形成される。そして、光照射部２０を上記のような３層構造とするように形成する場合は各層２２１、２２２、２２３を順にチューブ２１内へ充填することで形成すればよい。なお、光照射部２０は散乱体２２Aの濃度が異なる３つの層から構成され、散乱体２２Aの濃度が段階的に変化するものとしたが、散乱体２２Aの濃度が連続的に変化していてもよく、また、一様であってもよい。
【００２６】
上記光照射部２０は、図２に示すように、チューブ２１に被せられた熱収縮チューブ４０を光ファイバ１０に一体的に固定することによって光ファイバ１０に固定されている。この熱収縮チューブ４０は光Ｌに対して透過性を有する。そして、光照射ファイバ１には、光照射部２０の位置決め用のＦＥＰ製熱収縮チューブ４５が光ファイバ１０の所定位置に設けられている。
【００２７】
また、光照射ファイバ１は、更に、光照射部２０を収容する管状部材としてのパイプ７０を備えている。パイプ７０は、少なくとも光ファイバ１０および光照射部２０の直径とほぼ同じ又は大きい径を有しており、パイプ７０内に光照射部２０を挿入した状態で、例えば、光ファイバ１０側を熱収縮チューブ等で覆い熱収縮させることで光ファイバ１０に固定されている。また、図２に示すパイプ７０は、先端７０ａが閉じられているが、先端７０ａは開いていてもよい。
【００２８】
また、パイプ７０は、金属から形成されており、光Lに対して遮光性を有している。パイプ７０の材料としての金属は、光Lに対して反射率の高いものが好ましく、例えば、表２において○で示す金属を選択すればよい。なお、表２において○の表示は反射率が９０％以上、△の表示は反射率が７０％以上、×の表示は反射率が７０％より小さい場合を表している。
【表２】
2008220435.tif 000004
【００２９】
また、パイプ７０の周側壁７０Ａの一部には、光照射部２０から出力された光Lを通すための開口で形成された出力部７０Ｂを備えている。この光出力部７０Ｂの位置は、パイプ７０内に光照射部２０が挿入された状態で、光照射部２０上に位置するようになっていればよい。また、出力部７０Ｂは光照射部２０が照射する光Ｌを側方へ出力すれば足りるため、例えば出力部７０Ｂに照射光Ｌに対して透光性を持つ材料をはめ込んでもよい。そして、図３に示すように、出力部７０Ｂにおいて長手方向に直交する断面における開口の開口角θは、３０°〜１８０°が例示される。なお、開口角θは、パイプ７０の中心軸線を中心とした回転角である。さらに、パイプ７０は、外径ｙに対する内径ｘの比ｘ／ｙが０．６５以下になる厚さを有している。
【００３０】
次に、上記光照射ファイバ１の作用効果について、温熱治療を例にして説明する。
【００３１】
光照射ファイバ１を、パイプ７０ａ側から体内に挿入し、光照射チップ２０を患部Ｓ近傍に配置する。この際、図１に示すように、照射光Ｌが出力される領域であるパイプ７０の出力部７０Bを患部Ｓに向けておく。光照射ファイバ１を体内に挿入する場合には、例えば、カテーテルを予め挿入しておきカテーテル内に光照射ファイバ１を通せばよい。また、尿道や肛門等から光照射ファイバ１を挿入する際には、カテーテルを利用せずに直接光照射ファイバ１を挿入してもよい。
【００３２】
次に、光ファイバ１０の入射端１０ｂから患部Ｓ内の細胞が吸収可能な波長（例えば、波長１０６４ｎｍ）であって大パワー（例えば、４Ｗ）の光Ｌを光ファイバ１０に入射する。光ファイバ１０に入射された光Ｌは、光ファイバ１０中を伝搬して出射端１０ａから出射され、光散乱部２２内を先端２２ａ側に伝搬しながら散乱体２２Aにより散乱される。
【００３３】
チューブ２１および熱収縮チューブ４０は光Ｌに対して透過性を有するが、光散乱部２２の外周面は出力部７０Ｂを除きパイプ７０の周側壁７０Ａで覆われているため、散乱体２２Ａで散乱された光Ｌは、出力部７０Ｂから光照射ファイバ１の側方に照射光Ｌとして出力される。前述したように、出力部７０Ｂは、患部Ｓに向けられているため、患部Ｓにほぼ選択的に照射光Ｌが照射されることになる。この照射光Ｌが細胞に吸収され、細胞の温度を上げてその細胞を壊死させる。この際、光照射ファイバ１が有する光散乱部２２では、光散乱部２２中を伝搬する光Ｌの強度の減衰を、散乱量や散乱回数で補うように光散乱部２２の先端２２ａに向けて散乱体２２Ａの濃度が高くなっているため、照射光Ｌの強度が長手方向にそって略均一になる。その結果、患部Ｓに略均一な強度の光Ｌを照射することが可能であり、患部Ｓの全体をより確実に治療することができる。
【００３４】
そして、上記光照射ファイバ１では、光散乱部２２が、出力部７０Ｂを有する金属製のパイプ７０に収容されているため、出力部７０Ｂから選択的に光Ｌが出力されることになる。その結果、図４に示すように、照射光Ｌが指向性を有することになる。図４は、光照射ファイバ１から出力される光Ｌの周方向における出力強度（照射強度）の角度分布の模式図である。図４の縦軸は照射強度を示しており、横軸は照射角度を示している。なお、図４では、開口角θに対してθ／２の位置、すなわち、出力部７０Ｂの一対の側壁面７０Ｃのうちの一方から周方向に対してθ／２の位置を原点としている。
【００３５】
ところで、このような指向性を付与するためには、例えば、パイプ７０で光散乱部２２を収容する代わりに、光散乱部２２の外周面の一部を所定の開口を有するように金属箔で被覆することが考えられる。しかしながら、光散乱部２２から出力される光Ｌは、散乱体２２Ａで散乱された光Ｌであるため、種々の方向に出力されている。従って、金属箔のように非常に薄いもので覆った場合、図４の点線で示すように光の角度方向の強度分布に広がりが生じることになる。
【００３６】
これに対して、光照射ファイバ１では、指向性をより向上させる観点から、外径ｙに対する内径ｘの比ｘ／ｙが０．６５以下となる厚さを有するパイプ７０を利用していることが重要である。ｘ／ｙが０．６５以下となる厚さを有することになり、光散乱部２２内の散乱体２２Ａで種々の方向に散乱された光Ｌは、出力部７０Ｂを通過する際、出力部７０Ｂの側壁面で反射され、光照射ファイバからの出力方向が揃い易く、その結果、照射光Ｌの強度分布が急峻になり指向性が向上することになる。実験結果に基づいてより具体的に説明する。
【００３７】
本発明者らは、パイプ７０の厚さを変えて開口としての出力部７０Ｂから出力される光Ｌの角度方向の強度分布を測定した。測定結果を表３および図５に示す。この測定において、光ファイバ１０としてＰＣＦを採用し、コア部１０Ａの材料はシリカで直径４００μｍ、グラット部１０Ｂの材料はフッ化ビニリデン樹脂で直径４３０μｍ、被膜層１０Ｃの材料はＥＴＦＴ（Ethylene  Tetra  FluoroEthylene）で直径８００μｍとした。光散乱部２２の媒質２２Ｂはシリコーンゲルとし、散乱体２２Ａは平均粒径１０μｍのシリカ微粒子として、それを２４ｗｔ％でシリコーンゲル内に分散させて光照射部２０を形成した。また、パイプ７０の素材は銅として出力部７０Ｂの開口角θを６０°とした。なお、測定は、図３において、光照射ファイバ１の径方向において一定の距離にパワーメータを配置し、パワーメータを周方向に移動させながら測定した。そして、表３及び図５には、比較のために、パイプの代わりに金属箔を使用し、その他の条件を同じとして測定した場合も示している。また、表３では、パイプ及び金属箔をまとめて遮蔽部材と称している。以下でも説明のために、パイプ及び金属箔をまとめて遮蔽部材とも称す。
【表３】
2008220435.tif 000005
【００３８】
図５は、遮蔽部材の厚さｄを、０．０２ｍｍ、０．１ｍｍ、０．３ｍｍ、０．５ｍｍ、１．０ｍｍと変化させた場合を示しており、厚さｄが１．０ｍｍの場合の散乱強度で規格化した場合の強度分布を示している。また、表３は、厚さｄが０．０２ｍｍ、０．３ｍｍ、１．０ｍｍの場合を特に示している。表３に示す、全照射パワーは、図３に示す断面において、照射方向に対して−３０°〜＋３０°の範囲を目標照射範囲とすると、目標照射範囲における照射パワーを示しており、照射効率は、光照射部２２から出力される照射パワーと目標照射範囲へ照射する照射パワーの比により算出した。
【００３９】
図５に示すように、厚さｄが大きくなることにより、光の指向性が向上し、目標照射範囲内に効率的に光Ｌを照射することができることになる。また、表３から、遮蔽部材の厚さｄが大きくなるに伴い、目標照射範囲への全照射出力が大きくなることがわかる。また、ｘ／ｙが０．９６の場合は目標照射範囲への照射効率が約５０％であるのに対して、ｘ／ｙが０．６５以下において、目標照射範囲への照射効率が７０％を超えている。
【００４０】
従って、ｘ／ｙが０．６５以下であることにより、光Ｌの指向性が向上し、目標照射範囲により効率的に光Ｌを照射することができることになる。その結果、温熱治療に熱照射ファイバ１を利用した場合、目標照射範囲に照射する照射強度も向上させることができ、十分な治療効果を得ることができる。なお、表３及び図５では、開口角θが６０°の場合を示したが、開口角θが３０°の場合も同様の結果が得られた。
【００４１】
また、光照射ファイバ１では、パイプ７０に開口形成することによって出力部７０Ｂとしているため、例えば、金属箔等で光散乱部２２を被覆する場合に比べて、出力部７０Ｂの形状を所望の形状に形成し易い。その結果、患部Ｓへの光Ｌの照射領域の調整が容易となっている。また、光照射部２０が取り付けられた光ファイバ１０をパイプ７０に挿入することで製造できるため、製造が簡易である。更に、光散乱部２２を３層構造とした場合には、濃度分布を形成しやすいため、光照射ファイバ１の製造が容易である。
【００４２】
なお、上述した実施形態は本発明に係る光照射ファイバの一例を示すものである。本発明に係る光照射ファイバは、これらの実施形態に係る光照射ファイバに限られるものではなく、各請求項に記載した要旨を変更しない範囲で、実施形態に係る光照射ファイバを変形し、又は他のものに適用したものであってもよい。
【００４３】
例えば、実施形態において、散乱体２２Ａの濃度が３段階に変化する例を示したが、３段階に限らず２段階や４段階以上のように段階的に変化していればよい。また、散乱体２２Ａの濃度を連続的に変化させた場合でも、実施形態と同様の効果を得ることができる。更に、強度を同一にする観点から、散乱体２２Ａの濃度が変化する方が好ましいが、光照射部２０の長さや患部の形状等によっては、散乱体２２Ａの濃度が一様であってもよい。
【００４４】
さらに、実施形態において、出力部７０Ｂが開口である場合を示したが、出力部７０Ｂはスリットで形成されていてもよく、この場合であっても開口と同様に照射光Ｌの指向性を向上させる効果を得ることができる。
【００４５】
また、光ファイバ１０に光照射部２０が取り付けられている構成を示したが、例えば光ファイバの先端部の少なくともコア部に散乱体を分散させた構成としてもよい。この場合は散乱体が分散している先端の部分が光照射部となり、光照射部以外の部分が光ファイバ部となる。
【００４６】
さらに、本発明に係る光照射ファイバは、全方位に光Ｌを出力可能な光照射ファイバの光照射部を上記管状部材としてのパイプ内に収容されていればよい。例えば、管状部材内に光ファイバの出射端を挿入した後、管状部材内に光照射部を充填して光照射ファイバとすることもできる。
【図面の簡単な説明】
【００４７】
【図１】本発明の実施形態に係る光照射ファイバの斜視図である。
【図２】本発明の実施形態に係る光照射ファイバの側断面図である。
【図３】図２のIII-IIIに沿った断面図である。
【図４】光照射ファイバから出力される光Ｌの周方向における出力強度の角度分布の模式図である。
【図５】光照射ファイバにおいて遮蔽部材の厚さを変化させて測定した照射強度分布図である。
【符号の説明】
【００４８】
１…光照射ファイバ、１０…光ファイバ、２０…光照射部、２１…チューブ、２２…光散乱部、４０…固定部材、５０…金属箔、７０…パイプ（管状部材）。
【図１】
2008220435.tif 000006
【図２】
2008220435.tif 000007
【図３】
2008220435.tif 000008
【図４】
2008220435.tif 000009
【図５】
2008220435.tif 000010